(57)【特許請求の範囲】
【請求項１】
自身が購入したファッションアイテムに関する情報を投稿する投稿者が操作する投稿者端末と、前記投稿者によって投稿された情報を閲覧する閲覧者が操作する閲覧者端末と、前記投稿者端末から投稿された情報を前記閲覧者端末に公開する情報公開装置とを、通信回線を介して接続した情報提供システムであって、
前記投稿者端末は、
前記投稿者による、前記投稿者が購入した前記ファッションアイテムに関する被写体を撮像した投稿画像の入力を受け付ける投稿画像入力受付手段と、
前記投稿者による、前記投稿画像入力受付手段によって入力を受け付けた前記投稿画像に関連する、前記ファッションアイテムの購入店舗を示す購入店舗情報を含んだ関連情報の入力を受け付ける関連情報入力受付手段と、
前記投稿画像と前記関連情報を含む投稿情報を前記情報公開装置へ送信する投稿情報送信手段とを備え、
前記情報公開装置は、
前記投稿者端末から受信した前記投稿情報を記録装置に記録する投稿情報記録手段と、
前記閲覧者端末から情報提供を希望する店舗名の情報を受信して、あらかじめ前記記録装置へ記録しておく希望店舗情報記録手段と、
前記閲覧者端末からの前記情報提供を希望する店舗名を前記関連情報に含む投稿画像に絞り込むように閲覧条件が指定された閲覧要求に応じて、前記関連情報に基づいて特定される前記ファッションアイテムの購入店舗の名前が、あらかじめ前記記録装置に記録されている前記情報提供を希望する店舗名と一致する投稿画像を前記記録装置から読み出して一覧表示した公開用情報を生成する公開用情報生成手段とを備え、
前記閲覧者端末は、
前記閲覧者から、前記情報提供を希望する店舗名の入力を受け付ける情報提供希望店舗入力受付手段と、
前記情報提供希望店舗入力受付手段で入力を受け付けた前記情報提供を希望する店舗名の情報を前記情報公開装置へ送信する希望店舗情報送信手段と、
前記情報公開装置から前記公開用情報を取得する公開用情報取得手段と、
前記公開用情報取得手段によって取得された前記公開用情報を表示装置に表示する公開用情報表示手段と、
前記公開用情報表示手段によって前記公開用情報として一覧表示された前記投稿画像の中から、前記閲覧者によるいずれかの前記投稿画像の選択を受け付ける投稿画像選択受付手段と、
前記投稿画像選択受付手段で選択を受け付けた前記投稿画像の前記投稿情報に含まれる前記関連情報を前記情報公開装置から取得する関連情報取得手段と、
前記関連情報取得手段によって取得された前記関連情報を前記表示装置に表示する関連情報表示手段とを備えることを特徴とする情報提供システム。
【請求項２】
請求項１に記載の情報提供システムにおいて、
前記関連情報は、前記ファッションアイテムのブランド名を示すブランド情報をさらに含み、
前記閲覧者端末は、
前記閲覧者から、情報提供を希望するブランド名の入力を受け付ける情報提供希望ブランド名入力受付手段と、
前記情報提供希望ブランド名入力受付手段で入力を受け付けたブランド名の情報を希望ブランド情報として前記情報公開装置へ送信する希望ブランド情報送信手段とをさらに備え、
前記情報公開装置は、
前記閲覧者端末から前記希望ブランド情報を受信して前記記録装置へ記録する希望ブランド情報記録手段をさらに備え、
前記公開用情報生成手段は、前記閲覧者端末からの前記情報提供を希望するブランド名を前記関連情報に含む投稿画像に絞り込むように閲覧条件が指定された閲覧要求に応じて、前記関連情報に基づいて特定される前記ファッションアイテムのブランド名が、前記希望ブランド情報により特定されるブランド名と一致する投稿画像を前記記録装置から読み出して一覧表示することにより、前記公開用情報を生成することを特徴とする情報提供システム。
【請求項３】
請求項１または２に記載の情報提供システムにおいて、
前記関連情報は、前記ファッションアイテムが属するカテゴリの情報をさらに含み、
前記公開用情報生成手段は、前記閲覧者端末からの前記カテゴリの指定を伴った前記投稿情報の閲覧要求に応じて、前記関連情報に基づいて特定される前記ファッションアイテムのカテゴリが、前記閲覧者端末から指定されたカテゴリと一致する投稿画像を前記記録装置から読み出して一覧表示することにより、前記公開用情報を生成することを特徴とする情報提供システム。
【請求項４】
請求項１〜３のいずれか一項に記載の情報提供システムにおいて、
前記関連情報は、前記ファッションアイテムの利用シーンに関する情報をさらに含み、
前記公開用情報生成手段は、前記閲覧者端末からの前記利用シーンの指定を伴った前記投稿情報の閲覧要求に応じて、前記関連情報に基づいて特定される前記ファッションアイテムの利用シーンが、前記閲覧者端末から指定された利用シーンと一致する投稿画像を前記記録装置から読み出して一覧表示することにより、前記公開用情報を生成することを特徴とする情報提供システム。
【請求項５】
請求項１〜４のいずれか一項に記載の情報提供システムにおいて、
前記情報公開装置は、
前記閲覧者端末からお気に入り画像の選択を受け付けるお気に入り画像選択受付手段と、
前記お気に入り画像選択受付手段で選択を受け付けた前記お気に入り画像の投稿者から、新たに前記投稿画像が投稿されたときに、前記投稿画像が投稿されたことを、前記お気に入り画像を選択した閲覧者に通知する投稿通知手段をさらに備えることを特徴とする情報提供システム。
【請求項６】
請求項１〜５のいずれか一項に記載の情報提供システムにおいて、
自社が提供する前記ファッションアイテムに関する情報を提供する情報提供者が操作する情報提供者端末をさらに備え、
前記情報提供者端末は、
前記情報提供者から、前記情報提供者が提供する前記ファッションアイテムのブランド名を示す提供ブランド情報と、前記情報提供者が経営する店舗を特定するための提供店舗情報とを含んだ提供情報の入力を受け付ける提供情報入力受付手段と、
前記提供情報入力受付手段で入力を受け付けた前記提供情報を前記情報公開装置へ送信する提供情報送信手段とを備え、
前記情報公開装置は、
前記情報提供者端末から受信した前記提供情報を前記記録装置に記録する提供情報記録手段をさらに備えることを特徴とする情報提供システム。
【請求項７】
請求項６に記載の情報提供システムにおいて、
前記閲覧者端末は、
前記関連情報表示手段によって表示された前記関連情報に、前記ファッションアイテムのブランド名を示すブランド情報が含まれる場合には、前記関連情報の中から前記ブランド情報の選択を受け付けるブランド情報選択受付手段と、
前記ブランド情報選択受付手段で前記ブランド情報の選択を受け付けたときに、前記前記情報公開装置の前記記録装置に記録されている前記提供情報の中から、前記提供情報に含まれる提供ブランド情報が、前記ブランド情報選択受付手段で選択を受け付けたブランド情報と一致する前記提供情報を取得し、取得した前記提供情報に含まれる前記提供店舗情報を前記表示装置に一覧表示する提供店舗情報一覧表示手段とをさらに備えることを特徴とする情報提供システム。
【請求項８】
請求項６または７に記載の情報提供システムにおいて、
前記閲覧者端末は、
前記関連情報表示手段によって表示された前記関連情報の中から前記購入店舗情報の選択を受け付ける購入店舗情報選択受付手段と、
前記購入店舗情報選択受付手段で前記購入店舗情報の選択を受け付けたときに、前記購入店舗情報により特定される店舗で扱う商品を購入することができる購入サイトを前記表示装置に表示する購入サイト表示手段と、
前記購入サイト上で前記閲覧者による商品の注文を受け付ける注文受付手段と、
前記注文受付手段で受け付けた商品の内容を示す注文情報を前記情報公開装置へ送信する注文情報送信手段とをさらに備え、
前記情報公開装置は、
前記閲覧者端末から前記注文情報を受信する注文情報受信手段と、
前記注文情報受信手段によって受信された前記注文情報を前記記録装置に記録する注文情報受信手段と、
前記注文情報に基づいて商品が注文された店舗を特定し、特定した店舗の前記情報提供者端末へ、前記閲覧者から商品の注文があったことを通知する注文通知手段とをさらに備えることを特徴とする情報提供システム。
【請求項９】
自身が購入したファッションアイテムに関する情報を投稿する投稿者による、前記投稿者が購入した前記ファッションアイテムに関する被写体を撮像した投稿画像の入力を受け付ける投稿画像入力受付手段と、
前記投稿者による、前記投稿画像入力受付手段によって入力を受け付けた前記投稿画像に関連する、前記ファッションアイテムの購入店舗を示す購入店舗情報を含んだ関連情報の入力を受け付ける関連情報入力受付手段と、
前記投稿画像と前記関連情報を含む投稿情報を記録する投稿情報記録手段と、
前記投稿者によって投稿された情報を閲覧する閲覧者から情報提供を希望する店舗名の入力を受け付ける情報提供希望店舗入力受付手段と、
前記情報提供希望店舗入力受付手段で入力を受け付けた前記情報提供を希望する店舗名の情報を、あらかじめ記録しておく希望店舗情報記録手段と、
前記閲覧者による前記情報提供を希望する店舗名を前記関連情報に含む投稿画像に絞り込むように閲覧条件が指定された閲覧要求に応じて、前記関連情報に基づいて特定される前記ファッションアイテムの購入店舗の名前が、あらかじめ記録されている前記情報提供を希望する店舗名と一致する投稿画像を一覧表示した公開用情報を生成する公開用情報生成手段と、
前記公開用情報生成手段によって生成された前記公開用情報を表示する公開用情報表示手段と、
前記公開用情報表示手段によって前記公開用情報として一覧表示された前記投稿画像の中から、前記閲覧者によるいずれかの前記投稿画像の選択を受け付ける投稿画像選択受付手段と、
前記投稿画像選択受付手段で選択を受け付けた前記投稿画像の前記投稿情報に含まれる前記関連情報を表示する関連情報表示手段とを備えることを特徴とする情報提供システム。
【請求項１０】
請求項９に記載の情報提供システムにおいて、
前記関連情報は、前記ファッションアイテムのブランド名を示すブランド情報をさらに含み、
前記閲覧者から、情報提供を希望するブランド名の入力を受け付ける情報提供希望ブランド名入力受付手段と、
前記情報提供希望ブランド名入力受付手段で入力を受け付けたブランド名の情報を希望ブランド情報として記録する希望ブランド情報記録手段とをさらに備え、
前記公開用情報生成手段は、前記閲覧者からの前記情報提供を希望するブランド名を前記関連情報に含む投稿画像に絞り込むように閲覧条件が指定された閲覧要求に応じて、前記関連情報に基づいて特定される前記ファッションアイテムのブランド名が、前記希望ブランド情報により特定されるブランド名と一致する投稿画像を一覧表示することにより、前記公開用情報を生成することを特徴とする情報提供システム。
【請求項１１】
請求項９または１０に記載の情報提供システムにおいて、
前記関連情報は、前記ファッションアイテムが属するカテゴリの情報をさらに含み、
前記公開用情報生成手段は、前記閲覧者からの前記カテゴリの指定を伴った前記投稿情報の閲覧要求に応じて、前記関連情報に基づいて特定される前記ファッションアイテムのカテゴリが、前記閲覧者から指定されたカテゴリと一致する投稿画像を一覧表示することにより、前記公開用情報を生成することを特徴とする情報提供システム。
【請求項１２】
請求項９〜１１のいずれか一項に記載の情報提供システムにおいて、
前記関連情報は、前記ファッションアイテムの利用シーンに関する情報をさらに含み、
前記公開用情報生成手段は、前記閲覧者からの前記利用シーンの指定を伴った前記投稿情報の閲覧要求に応じて、前記関連情報に基づいて特定される前記ファッションアイテムの利用シーンが、前記閲覧者から指定された利用シーンと一致する投稿画像を一覧表示することにより、前記公開用情報を生成することを特徴とする情報提供システム。
【請求項１３】
請求項９〜１２のいずれか一項に記載の情報提供システムにおいて、
前記閲覧者からお気に入り画像の選択を受け付けるお気に入り画像選択受付手段と、
前記お気に入り画像選択受付手段で選択を受け付けた前記お気に入り画像の投稿者から、新たに前記投稿画像が投稿されたときに、前記投稿画像が投稿されたことを、前記お気に入り画像を選択した閲覧者に通知する投稿通知手段をさらに備えることを特徴とする情報提供システム。
【請求項１４】
請求項９〜１３のいずれか一項に記載の情報提供システムにおいて、
自社が提供する前記ファッションアイテムに関する情報を提供する情報提供者から、前記情報提供者が提供する前記ファッションアイテムのブランド名を示す提供ブランド情報と、前記情報提供者が経営する店舗を特定するための提供店舗情報とを含んだ提供情報の入力を受け付ける提供情報入力受付手段と、
前記提供情報入力受付手段で入力を受け付けた前記提供情報を記録する提供情報記録手段とをさらに備えることを特徴とする情報提供システム。
【請求項１５】
請求項１４に記載の情報提供システムにおいて、
前記関連情報表示手段によって表示された前記関連情報に、前記ファッションアイテムのブランド名を示すブランド情報が含まれる場合には、前記関連情報の中から前記ブランド情報の選択を受け付けるブランド情報選択受付手段と、
前記ブランド情報選択受付手段で前記ブランド情報の選択を受け付けたときに、前記提供情報の中から、前記提供情報に含まれる提供ブランド情報が、前記ブランド情報選択受付手段で選択を受け付けたブランド情報と一致する前記提供情報を取得し、取得した前記提供情報に含まれる前記提供店舗情報を一覧表示する提供店舗情報一覧表示手段とをさらに備えることを特徴とする情報提供システム。
【請求項１６】
請求項１４または１５に記載の情報提供システムにおいて、
前記関連情報表示手段によって表示された前記関連情報の中から前記購入店舗情報の選択を受け付ける購入店舗情報選択受付手段と、
前記購入店舗情報選択受付手段で前記購入店舗情報の選択を受け付けたときに、前記購入店舗情報により特定される店舗で扱う商品を購入することができる購入サイトを表示する購入サイト表示手段と、
前記購入サイト上で前記閲覧者による商品の注文を受け付ける注文受付手段と、
前記注文受付手段で受け付けた商品の内容を示す注文情報を記録する注文情報受信手段と、
前記注文情報に基づいて商品が注文された店舗を特定し、特定した店舗の前記情報提供者へ、前記閲覧者から商品の注文があったことを通知する注文通知手段とをさらに備えることを特徴とする情報提供システム。
【請求項１７】
請求項１〜８のいずれかに記載の閲覧者端末。
【請求項１８】
請求項１〜８のいずれかに記載の情報公開装置。
【発明の詳細な説明】
【技術分野】
【０００１】
本発明は、情報提供システム、投稿者端末、閲覧者端末、および情報公開装置に関する。
【背景技術】
【０００２】
次のような商品検索装置が知られている。この商品検索装置では、ユーザによって入力された商品検索データに基づいて商品を検索し、検索された商品の画像データを一覧表示して、ユーザに提示する（例えば、特許文献１）。
【先行技術文献】
【特許文献】
【０００３】
【特許文献１】特開２００２−３１８８１４号公報
【発明の概要】
【発明が解決しようとする課題】
【０００４】
従来の商品検索装置では、検索結果として一覧表示する画像データは、販売店等から提供された商品の写真画像データが用いられていた。このため、ユーザに商品の検索結果を提供するためには、検索結果として表示する商品の全てについて、あらかじめ画像データを用意して、商品検索支援用サーバシステムに記録しておく必要があった。また、ユーザは、商品を購入するに当たり、他のユーザによる商品の使用例や、他のアイテムとの組み合わせ例等を参考にすることを望むことが多い一方で、販売店等が撮影した商品の画像データでは、その要望に応えられない可能性があった。
【課題を解決するための手段】
【０００５】
本発明による情報提供システムは、自身が購入したファッションアイテムに関する情報を投稿する投稿者が操作する投稿者端末と、投稿者によって投稿された情報を閲覧する閲覧者が操作する閲覧者端末と、投稿者端末から投稿された情報を閲覧者端末に公開する情報公開装置とを、通信回線を介して接続した情報提供システムであって、投稿者端末は、投稿者による、投稿者が購入したファッションアイテムに関する被写体を撮像した投稿画像の入力を受け付ける投稿画像入力受付手段と、投稿者による、投稿画像入力受付手段によって入力を受け付けた投稿画像に関連する、ファッションアイテムの購入店舗を示す購入店舗情報を含んだ関連情報の入力を受け付ける関連情報入力受付手段と、投稿画像と関連情報を含む投稿情報を情報公開装置へ送信する投稿情報送信手段とを備え、情報公開装置は、投稿者端末から受信した投稿情報を記録装置に記録する投稿情報記録手段と、閲覧者端末から情報提供を希望する店舗名の情報を受信して記録装置へ記録する希望店舗情報記録手段と、閲覧者端末からの情報提供を希望する店舗名を関連情報に含む投稿画像に絞り込むように閲覧条件が指定された閲覧要求に応じて、関連情報に基づいて特定されるファッションアイテムの購入店舗の名前が、情報提供を希望する店舗名と一致する投稿画像を記録装置から読み出して一覧表示した公開用情報を生成する公開用情報生成手段とを備え、閲覧者端末は、閲覧者から、情報提供を希望する店舗名の入力を受け付ける情報提供希望店舗入力受付手段と、情報提供希望店舗入力受付手段で入力を受け付けた情報提供を希望する店舗名の情報を情報公開装置へ送信する希望店舗情報送信手段と、情報公開装置から公開用情報を取得する公開用情報取得手段と、公開用情報取得手段によって取得された公開用情報を表示装置に表示する公開用情報表示手段と、公開用情報表示手段によって公開用情報として一覧表示された投稿画像の中から、閲覧者によるいずれかの投稿画像の選択を受け付ける投稿画像選択受付手段と、投稿画像選択受付手段で選択を受け付けた投稿画像の投稿情報に含まれる関連情報を情報公開装置から取得する関連情報取得手段と、関連情報取得手段によって取得された関連情報を表示装置に表示する関連情報表示手段とを備えることを特徴とする。
本発明による情報提供システムはまた、自身が購入したファッションアイテムに関する情報を投稿する投稿者による、投稿者が購入したファッションアイテムに関する被写体を撮像した投稿画像の入力を受け付ける投稿画像入力受付手段と、投稿者による、投稿画像入力受付手段によって入力を受け付けた投稿画像に関連する、ファッションアイテムの購入店舗を示す購入店舗情報を含んだ関連情報の入力を受け付ける関連情報入力受付手段と、投稿画像と関連情報を含む投稿情報を記録する投稿情報記録手段と、投稿者によって投稿された情報を閲覧する閲覧者から情報提供を希望する店舗名の入力を受け付ける情報提供希望店舗入力受付手段と、情報提供希望店舗入力受付手段で入力を受け付けた情報提供を希望する店舗名の情報を記録する希望店舗情報記録手段と、閲覧者による情報提供を希望する店舗名を関連情報に含む投稿画像に絞り込むように閲覧条件が指定された閲覧要求に応じて、関連情報に基づいて特定されるファッションアイテムの購入店舗の名前が、情報提供を希望する店舗名と一致する投稿画像を一覧表示した公開用情報を生成する公開用情報生成手段と、公開用情報生成手段によって生成された公開用情報を表示する公開用情報表示手段と、公開用情報表示手段によって公開用情報として一覧表示された投稿画像の中から、閲覧者によるいずれかの投稿画像の選択を受け付ける投稿画像選択受付手段と、投稿画像選択受付手段で選択を受け付けた投稿画像の投稿情報に含まれる関連情報を表示する関連情報表示手段とを備えることを特徴とする。
【発明の効果】
【０００６】
本発明によれば、投稿者が投稿した画像を閲覧者に公開するため、情報の提供者があらかじめ画像データを用意しておかなくても、情報提供システムを運用することができる。さらに、投稿者による投稿数が増えるにつれて、閲覧者に提供できる情報量も増えるため、投稿数の増加とともに、情報提供システムの利便性を向上させることができる。また、閲覧者は、投稿者が実際に購入した商品や、提供を受けたサービスに関する被写体を撮像して投稿した投稿画像を閲覧することができる。このため、閲覧者は、商品を購入するに当たり、他のユーザによる商品の使用例や、他のアイテムとの組み合わせ例等を参考にすることができる。また、閲覧者は、他のユーザの投稿を見ることで、自身がサービスを受ける際の参考にすることができる。
【図面の簡単な説明】
【０００７】
【図１】情報提供システムの一実施の形態の構成を示すブロック図である。
【図２】投稿者端末２００としてスマートフォンを用いた場合の一実施の形態の構成を示すブロック図である。
【図３】閲覧者端末３００としてスマートフォンを用いた場合の一実施の形態の構成を示すブロック図である。
【図４】情報公開装置４００としてサーバ装置を用いた場合の一実施の形態の構成を示すブロック図である。
【図５】情報提供者端末５００としてパーソナルコンピュータを用いた場合の一実施の形態の構成を示すブロック図である。
【図６】投稿者端末２００で実行される処理の流れを示すフローチャート図である。
【図７】閲覧者端末３００で実行される処理の流れを示すフローチャートである。
【図８】情報公開装置４００で実行される処理の流れを示すフローチャート図である。
【図９】情報提供者端末５００で実行される処理の流れを示すフローチャート図である。
【発明を実施するための形態】
【０００８】
図１は、本実施の形態における情報提供システムの一実施の形態の構成を示すブロック図である。情報提供システム１００は、投稿者端末２００と、閲覧者端末３００と、情報公開装置４００と、情報提供者端末５００とが、インターネットや携帯電話網などの通信回線を介して接続されることにより構成される。
【０００９】
投稿者端末２００は、自身が購入した商品や自身が受けたサービスに関する情報を情報提供システム１００上に投稿する投稿者が所持する端末であって、例えばスマートフォン、タブレット端末、パーソナルコンピュータ等の情報端末が用いられる。閲覧者端末３００は、投稿者によって投稿された情報を閲覧する閲覧者が所持する端末であって、例えばスマートフォンやタブレット端末、パーソナルコンピュータ等の情報端末が用いられる。情報公開装置４００は、投稿者端末２００から投稿された情報を閲覧者端末４００に公開するための処理を実行する装置であって、例えば、サーバ装置やパソコン等の情報処理装置が用いられる。情報提供者端末５００は、自社が提供する商品やサービスに関する情報を提供する情報提供者が所持する端末であって、例えばスマートフォン、タブレット端末、パーソナルコンピュータ等の情報端末が用いられる。
【００１０】
図１では、情報提供システム１００は、投稿者端末２００と、閲覧者端末３００と、情報公開装置４００と、情報提供者端末５００とがそれぞれ１台ずつで構成される例を示しているが情報提供システム１００の構成はこれに限定されない。例えば、複数の情報公開装置４００で処理を分散させるようにしてもよいし、投稿者端末２００と、閲覧者端末３００と、情報提供者端末５００の数は特に限定されるものではない。
【００１１】
図２は、本実施の形態における投稿者端末２００としてスマートフォンを用いた場合の一実施の形態の構成を示すブロック図である。本実施の形態では、スマートフォンに情報公開装置４００と通信を行って、以下に説明する情報投稿機能を提供するための情報投稿用アプリケーションがインストールされることにより、本実施の形態における投稿者端末２００として動作する。なお、情報投稿用アプリケーションのプログラムは、インターネットを介して接続されたサーバ上で公開されることにより提供され、ユーザがこれをダウンロードにより入手し、投稿者端末２００にあらかじめインストールされているものとする。あるいは、情報投稿用アプリケーションのプログラムは、ＣＤ−ＲＯＭやＤＶＤ−ＲＯＭ等の記録媒体に記録されて提供されるようにしてもよい。
【００１２】
投稿者端末２００は、タッチパネル２０１と、通信モジュール２０２と、マイク２０３と、制御装置２０４と、スピーカー２０５と、カメラ２０６とを備えている。
【００１３】
タッチパネル２０１は、液晶パネル等の表示装置とタッチパッドのような位置入力装置を組み合わせた電子部品であり、画面上の表示を押すことで機器を操作することができる入力装置である。例えば、投稿者端末２００のユーザである投稿者は、液晶パネル上に表示されたボタンやメニュー等の表示項目を指やタッチペンを用いてタッチまたはスライドさせることにより、投稿者端末２００を操作することができる。タッチパネル２０１は、投稿者によるタッチやスライドといった操作を検出して、その検出信号を制御装置２０４へ出力する。
【００１４】
通信モジュール２０２は、無線または有線により、ＬＡＮや携帯電話通信網を介してインターネットに接続するためのモジュールが用いられる。投稿者端末２００は、この通信モジュール２０２を介して情報公開装置４００と通信を行う。
【００１５】
マイク２０３は、投稿者による発話音声を入力するための集音装置である。マイク２０３から入力されたアナログデータは、制御装置２０４でデジタル信号に変換される。
【００１６】
制御装置２０４は、ＣＰＵ、メモリ、およびその他の周辺回路によって構成され、投稿者端末２００の全体を制御する。なお、制御装置２０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、投稿者端末２００を動作させるためのファームウェアや種々のアプリケーションを動作させるためのソフトウェアのプログラムデータが記録される。本実施の形態では、この不揮発性のメモリに、上述した情報投稿用アプリケーションのプログラムが記録されている。
【００１７】
スピーカー２０５は、音声を出力するための出力装置である。制御装置２０４は、他のユーザから着信があった場合の音声データや、不揮発性メモリに記録されている音声データをスピーカー２０５を介して出力する。
【００１８】
カメラ２０６は、レンズ、撮像素子、その他周辺回路によって構成される公知の撮像装置である。本実施の形態では、情報投稿用アプリケーションは、投稿者からの指示に基づいてカメラ２０６を用いた撮影を行う機能を備えている。
【００１９】
図３は、本実施の形態における閲覧者端末３００としてスマートフォンを用いた場合の一実施の形態の構成を示すブロック図である。本実施の形態では、スマートフォンに情報公開装置４００と通信を行って、以下に説明する情報閲覧機能を提供するための情報閲覧用アプリケーションがインストールされることにより、本実施の形態における閲覧者端末３００として動作する。なお、情報閲覧用アプリケーションのプログラムは、インターネットを介して接続されたサーバ上で公開されることにより提供され、ユーザがこれをダウンロードにより入手し、閲覧者端末３００にあらかじめインストールされているものとする。あるいは、情報閲覧用アプリケーションのプログラムは、ＣＤ−ＲＯＭやＤＶＤ−ＲＯＭ等の記録媒体に記録されて提供されるようにしてもよい。
【００２０】
閲覧者端末３００は、タッチパネル３０１と、通信モジュール３０２と、マイク３０３と、制御装置３０４と、スピーカー３０５とを備えている。
【００２１】
タッチパネル３０１は、液晶パネル等の表示装置とタッチパッドのような位置入力装置を組み合わせた電子部品であり、画面上の表示を押すことで機器を操作することができる入力装置である。例えば、閲覧者端末３００のユーザである閲覧者は、液晶パネル上に表示されたボタンやメニュー等の表示項目を指やタッチペンを用いてタッチまたはスライドさせることにより、閲覧者端末３００を操作することができる。タッチパネル３０１は、閲覧者によるタッチやスライドといった操作を検出して、その検出信号を制御装置３０４へ出力する。
【００２２】
通信モジュール３０２は、無線または有線により、ＬＡＮや携帯電話通信網を介してインターネットに接続するためのモジュールが用いられる。閲覧者端末３００は、この通信モジュール３０２を介して情報公開装置４００と通信を行う。
【００２３】
マイク３０３は、投稿者による発話音声を入力するための集音装置である。マイク３０３から入力されたアナログデータは、制御装置３０４でデジタル信号に変換される。
【００２４】
制御装置３０４は、ＣＰＵ、メモリ、およびその他の周辺回路によって構成され、閲覧者端末３００の全体を制御する。なお、制御装置３０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、閲覧者端末３００を動作させるためのファームウェアや種々のアプリケーションを動作させるためのソフトウェアのプログラムデータが記録される。本実施の形態では、この不揮発性のメモリに、上述した情報閲覧用アプリケーションのプログラムが記録されている。
【００２５】
スピーカー３０５は、音声を出力するための出力装置である。制御装置３０４は、他のユーザから着信があった場合の音声データや、不揮発性メモリに記録されている音声データをスピーカー３０５を介して出力する。
【００２６】
図４は、本実施の形態における情報公開装置４００としてサーバ装置を用いた場合の一実施の形態の構成を示すブロック図である。情報公開装置４００は、操作部材４０１と、接続ＩＦ（インターフェース）４０２と、制御装置４０３と、記録装置４０４とを備えている。
【００２７】
操作部材４０１は、情報公開装置４００の操作者によって操作される種々の装置、例えばキーボードやマウスを含む。
【００２８】
接続ＩＦ４０２は、情報公開装置４００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。情報公開装置４００は、この接続ＩＦ４０２を介して投稿者端末２００、閲覧者端末３００、情報提供者端末５００と通信を行う。
【００２９】
制御装置４０３は、ＣＰＵ、メモリ、およびその他の周辺回路によって構成され、情報公開装置４００の全体を制御する。なお、制御装置４０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ４０２を介して読み込まれたデータは、バッファメモリに一時的に記録される。
【００３０】
記録装置４０４は、情報公開装置４００が蓄える種々のデータや、制御装置４０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置４０４に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記録装置４０４にインストールすることによって、制御装置４０３がプログラムを実行できるようになる。
【００３１】
図５は、本実施の形態における情報提供者端末５００としてパーソナルコンピュータを用いた場合の一実施の形態の構成を示すブロック図である。情報提供者端末５００は、操作部材５０１と、接続ＩＦ（インターフェース）５０２と、制御装置５０３と、記録装置５０４とを備えている。
【００３２】
操作部材５０１は、情報提供者端末５００の操作者によって操作される種々の装置、例えばキーボードやマウスを含む。
【００３３】
接続ＩＦ５０２は、情報提供者端末５００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。情報提供者端末５００は、この接続ＩＦ５０２を介して情報公開装置４００と通信を行う。
【００３４】
制御装置５０３は、ＣＰＵ、メモリ、およびその他の周辺回路によって構成され、情報提供者端末５００の全体を制御する。なお、制御装置５０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ５０２を介して読み込まれたデータは、バッファメモリに一時的に記録される。
【００３５】
記録装置５０４は、情報提供者端末５００が蓄える種々のデータや、制御装置５０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置５０４に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記録装置５０４にインストールすることによって、制御装置５０３がプログラムを実行できるようになる。
【００３６】
本実施の形態における情報提供システム１００では、投稿者端末２００を所持する投稿者は、投稿者端末２００上で上述した情報投稿用アプリケーションを起動して、自身が購入した商品や自身が受けたサービスに関する被写体を撮像し、得られた投稿画像を情報公開装置４００にアップロードすることができる。これによって、投稿者は、自身が購入した商品や自身が受けたサービスの情報を情報提供システム１００に投稿して公開することがき、閲覧者端末３００を所持する閲覧者は、閲覧者端末３００上で上述した情報閲覧用アプリケーションを起動して、投稿者によって投稿された情報を閲覧することができる。なお、本実施の形態では、情報提供システム１００をファッション情報を提供するためのシステムとして用いる場合を想定して、投稿者は、自身が購入した洋服やアクセサリー等のファッションアイテムを撮影した投稿画像を投稿して公開する場合を例に、処理の説明を行う。
【００３７】
本実施の形態では、情報提供システム１００を利用して情報提供を希望する情報提供者は、情報提供者端末５００を操作して、あらかじめ提供を希望する情報を登録しておく。ここでは、情報提供者は、自社が経営する店舗の情報を登録する例について説明する。店舗の情報としては、例えば店舗名、住所、電話番号、営業時間、取扱う商品のブランド、取扱う商品のカテゴリの情報が含まれる。情報提供者は、情報提供者端末５００に表示される店舗情報の入力画面上で、上記の各情報を入力する。なお、商品のカテゴリは、後述する処理で投稿者によって入力される情報と同様の情報とすればよい。制御装置５０３は、情報提供者によって入力された店舗の情報を提供情報として情報公開装置４００へ送信する。
【００３８】
情報公開装置４００では、制御装置４０３は、情報提供者端末５００から提供情報を受信すると、受信した提供情報を記録装置４０４に記録する。
【００３９】
投稿者は、タッチパネル２０１上で情報投稿用アプリケーションのアイコンにタッチする等、所定の操作を行うことにより、投稿者端末２００上で情報投稿用アプリケーションの起動を指示することができる。制御装置２０４は、投稿者による情報投稿用アプリケーションの起動指示を検出すると、フラッシュメモリから情報投稿用アプリケーションのプログラムデータを読み出して実行することにより、投稿者端末２００上で情報投稿用アプリケーションを起動する。
【００４０】
投稿者は、タッチパネル２０１上に表示された情報投稿用アプリケーションの画面上で、投稿画像の撮影開始を指示することができる。制御装置２０４は、投稿者によって投稿画像の撮影開始が指示されたことを検出した場合には、カメラ２０６を使用した撮影機能を起動する。
【００４１】
投稿者は、自身が所有しているファッションアイテムを被写体として撮影を行う。このとき、投稿者は、洋服やアクセサリーなどのファッションアイテムを個別に撮影してもよいし、複数のファッションアイテムを組み合わせて撮影を行ってもよい。また、投稿者自身が１つまたは複数のアイテムを身に着けた状態の写真を撮影してもよい。例えば、投稿者は、複数のアイテムでコーディネートした自分自身の写真を撮影することもできる。なお、投稿者は、タッチパネル２０１上に表示されたシャッターボタンにタッチする等、所定の操作を行うことにより、撮影を指示することができる。
【００４２】
制御装置２０４は、投稿者によって撮影が指示された場合には、カメラ２０６を制御して撮像を行い、投稿画像の画像データを取得する。制御装置２０４は、投稿画像の画像データを取得した場合には、投稿者に投稿画像に関連する関連情報の入力を促すための関連情報入力画面をタッチパネル２０１上に表示する。
【００４３】
投稿者は、タッチパネル２０１を操作して、関連情報入力画面上で被写体として撮影したファッションアイテムに関連する関連情報を入力する。本実施の形態では、例えば、関連情報入力画面には、被写体としたファッションアイテムのブランド名を示すブランド情報、ファッションアイテムのカテゴリを示すカテゴリ情報、ファッションアイテムの利用シーンを示す利用シーン情報、ファッションアイテムの購入店舗を示す購入店舗情報、ファッションアイテムの購入金額を示す購入金額情報を関連情報として入力するための入力欄が設けられており、投稿者は、各入力欄に情報を入力する。なお、各入力欄への情報の入力方法は特に限定されるものではないが、一例を挙げると以下のような方法が考えられる。
【００４４】
情報公開装置４００の記録装置４０４には、ファッションアイテムの主要なブランド名が記録されており、制御装置２０４は、関連情報入力画面を表示するに当たり、情報公開装置４００にアクセスして、ブランド名の一覧情報を取得する。関連情報入力画面のブランド情報の入力欄は、ブランド名の一覧情報の中から任意のブランド名を選択することができるリストボックスとし、制御装置２０４は、情報公開装置４００から取得したブランド名の一覧情報を該リストボックスに表示する。投稿者は、リストボックス内に表示されたブランド名の中から、被写体としたファッションアイテムのブランド名を選択することにより、関連情報入力画面上でブランド情報を入力することができる。
【００４５】
また、情報公開装置４００の記録装置４０４には、ファッションアイテムを分類するために用いられるカテゴリ名が記録されており、制御装置２０４は、関連情報入力画面を表示するに当たり、情報公開装置４００にアクセスして、カテゴリ名の一覧情報を取得する。関連情報入力画面のカテゴリ情報の入力欄は、カテゴリ名の一覧情報の中から任意のカテゴリ名を選択することができるリストボックスとし、制御装置２０４は、情報公開装置４００から取得したカテゴリ名の一覧情報を該リストボックスに表示する。投稿者は、リストボックス内に表示されたカテゴリ名の中から、被写体としたファッションアイテムのカテゴリ名を選択することにより、関連情報入力画面上でカテゴリ情報を入力することができる。なお、ファッションアイテムのカテゴリ名としては、例えば、トップス、アウター、ボトムス、ワンピース、バッグ、アクセサリー、ジュエリー、シューズ、ウォレット、腕時計、モバイルアクセサリー、スポーツウェア、アンダー、フォーマル、レイングッズ、ベビー、キッズ、マタニティーといったファッションアイテムを分類するために用いられる一般的なカテゴリの名称を用いればよい。
【００４６】
また、情報公開装置４００の記録装置４０４には、ファッションアイテムが利用されるシーンを想定した利用シーン名が記録されており、制御装置２０４は、関連情報入力画面を表示するに当たり、情報公開装置４００にアクセスして、利用シーン名の一覧情報を取得する。関連情報入力画面の利用シーン情報の入力欄は、利用シーン名の一覧情報の中から任意の利用シーン名を選択することができるリストボックスとし、制御装置２０４は、情報公開装置４００から取得した利用シーン名の一覧情報を該リストボックスに表示する。投稿者は、リストボックス内に表示された利用シーン名の中から、被写体としたファッションアイテムの利用シーン名を選択することにより、関連情報入力画面上で利用シーン情報を入力することができる。なお、ファッションアイテムの利用シーン名としては、例えば、仕事、通学、デート、パーティー、コンサート、結婚式、入学式、お食事会、旅行、海、休日、雨の日といったファッションアイテムが利用される一般的なシーンの名称を用いればよい。
【００４７】
制御装置２０４は、関連情報入力画面を表示するに当たり、情報公開装置４００にアクセスして、上述した処理で情報提供者端末５００から登録された提供情報から、店舗名の一覧情報を取得する。関連情報入力画面の購入店情報の入力欄は、店舗名の一覧情報の中から任意の店舗名を選択することができるリストボックスとし、制御装置２０４は、情報公開装置４００から取得した店舗名の一覧情報を該リストボックスに表示する。投稿者は、リストボックス内に表示された店舗名の中から、被写体としたファッションアイテムを購入した店舗の店舗名を選択することにより、関連情報入力画面上で購入店情報を入力することができる。なお、投稿者は、リストボックス内に被写体としたファッションアイテムを購入した店舗の店舗名が含まれていない場合には、店舗名をテキスト入力することもできる。
【００４８】
ファッションアイテムの購入金額を示す購入金額情報の入力欄は、投稿者が購入金額を入力することができるテキストボックスとし、投稿者は、テキストボックスに購入金額を入力することにより、関連情報入力画面上で購入金額情報を入力することができる。なお、投稿者は購入金額をはっきりと覚えていない場合は、おおよその金額を入力すればよい。また、購入金額情報を入力するか否かは、投稿者が任意に選択できるようにしてもよい。
【００４９】
制御装置２０４は、投稿者によって撮影された投稿画像と、投稿者によって入力された関連情報とを関連付けた投稿情報を情報公開装置４００へ送信する。なお、投稿画像に複数のファッションアイテムが映っている場合には、投稿者は、それぞれのファッションアイテムごとに関連情報を入力することができ、その場合は、１つの投稿画像に複数の関連情報が関連付けられて情報公開装置４００へ送信される。
【００５０】
情報公開装置４００では、制御装置４０３は、投稿者端末２００から投稿情報を受信すると、受信した投稿情報を記録装置４０４に記録する。
【００５１】
閲覧者は、タッチパネル３０１上で情報閲覧用アプリケーションのアイコンにタッチする等、所定の操作を行うことにより、閲覧者端末３００上で情報閲覧用アプリケーションの起動を指示することができる。制御装置３０４は、閲覧者による情報閲覧用アプリケーションの起動指示を検出すると、フラッシュメモリから情報閲覧用アプリケーションのプログラムデータを読み出して実行することにより、閲覧者端末３００上で情報閲覧用アプリケーションを起動する。
【００５２】
閲覧者は、情報閲覧用アプリケーションを用いて投稿者による投稿情報を閲覧するための準備として、情報閲覧用アプリケーション上で情報登録を行う。情報登録に当たっては、閲覧者は、好みのブランドや興味があるブランドの名称を、情報提供を希望するブランド名として入力する。このときのブランド名の入力は、上述した投稿者端末２００におけるブランド名の入力方法と同様の方法とすればよい。また、閲覧者は、好みの店舗や興味がある店舗の名称を、情報提供を希望する店舗名として入力する。このときの店舗名の入力も、上述した投稿者端末２００における店舗名の入力方法と同様の方法とすればよい。
【００５３】
制御装置３０４は、閲覧者によって入力された情報提供を希望するブランド名の情報と、情報提供を希望する店舗名の情報を提供希望情報として情報公開装置４００へ送信する。
【００５４】
情報公開装置４００では、制御装置４０３は、閲覧者端末３００から提供希望情報を受信すると、情報送信元の閲覧者端末３００を所持する投稿者を一意に識別するための情報、例えば閲覧者ＩＤを発行し、閲覧者端末３００から受信した情報提供を希望するブランド名の情報と、情報提供を希望する店舗名の情報を、発行した閲覧者ＩＤと関連付けた閲覧者情報を記録装置４０４に記録する。ここで発行された閲覧者ＩＤは、閲覧者端末３００にも通知され、閲覧者端末３００では、制御装置３０４は、閲覧者ＩＤをフラッシュメモリに記録する。
【００５５】
閲覧者は、投稿者によって投稿された投稿情報の閲覧を希望する場合には、タッチパネル３０１上に表示された情報閲覧用アプリケーションの画面上で投稿情報の閲覧を指示する。このとき、閲覧者は、タッチパネル３０１上に表示された閲覧条件指定ボタンを操作して、閲覧条件として、投稿画像を人気ランキング順で表示するか、情報提供を希望するブランド名の商品が撮影された投稿画像に絞り込んで表示するか、情報提供を希望する店舗名の店舗で購入された投稿画像に絞り込んで表示するか、特定のカテゴリの商品に絞り込んで表示するか、特定の利用シーンに絞り込んで表示するかを指定することができる。
【００５６】
制御装置３０４は、閲覧者によって投稿情報の閲覧が指示されたことを検出した場合には、情報公開装置４００に閲覧者ＩＤと閲覧条件とを関連付けた閲覧要求情報を送信して、投稿情報の閲覧を要求する。
【００５７】
情報公開装置４００では、制御装置４０３は、閲覧者端末３００からの投稿情報の閲覧要求に応じて、閲覧条件に合った投稿画像を一覧表示した公開用情報を生成する。
【００５８】
例えば、投稿画像を人気ランキング順で表示するように閲覧条件が指定されている場合には、制御装置４０３は、閲覧者による人気が高い順に投稿画像を並べて一覧表示した公開用情報を生成する。各投稿画像における閲覧者による人気は、例えば、閲覧者が投稿画像を閲覧した際に、好みの画像に対して投票をできるようにし、各投稿画像ごとに、閲覧者による投票数を記録しておき、この投票数が多いものが人気が高いとして、投票数が多い順に投稿画像を並べて一覧表示した公開用情報を生成するようにすればよい。あるいは、各投稿画像ごとに、閲覧者によって閲覧された回数を記録しておき、この閲覧回数が多いものが人気が高いとして、閲覧回数が多い順に投稿画像を並べて一覧表示した公開用情報を生成するようにすればよい。
【００５９】
情報提供を希望するブランド名の商品が撮影された投稿画像に絞り込んで表示するように閲覧条件が指定されている場合には、制御装置４０３は、記録装置４０４に記録されている閲覧者が情報提供を希望するブランド名の情報の中から、閲覧条件とともに受信した閲覧者ＩＤに関連付けて記録されているブランド名の情報を読み出す。制御装置４０３は、記録装置４０４に記録されている投稿情報の中から、読み出したブランド名の情報に一致するブランド情報が関連情報に含まれる投稿情報を特定し、特定した投稿情報に含まれる投稿画像を読み出して一覧表示した公開用情報を生成する。
【００６０】
情報提供を希望する店舗名の店舗で購入された投稿画像に絞り込んで表示するように閲覧条件が指定されている場合には、制御装置４０３は、記録装置４０４に記録されている閲覧者が情報提供を希望する店舗名の情報の中から、閲覧条件とともに受信した閲覧者ＩＤに関連付けて記録されている店舗名の情報を読み出す。制御装置４０３は、記録装置４０４に記録されている投稿情報の中から、読み出した店舗名の情報に一致する購入店情報が関連情報に含まれる投稿情報を特定し、特定した投稿情報に含まれる投稿画像を読み出して一覧表示した公開用情報を生成する。
【００６１】
特定のカテゴリの商品に絞り込んで表示するように閲覧条件が指定されている場合には、制御装置４０３は、記録装置４０４に記録されている投稿情報の中から、閲覧条件で指定された商品のカテゴリに一致するカテゴリ情報が関連情報に含まれる投稿情報を特定し、特定した投稿情報に含まれる投稿画像を読み出して一覧表示した公開用情報を生成する。
【００６２】
特定の利用シーンに絞り込んで表示するように閲覧条件が指定されている場合には、制御装置４０３は、記録装置４０４に記録されている投稿情報の中から、閲覧条件で指定された商品の利用シーンに一致する利用シーン情報が関連情報に含まれる投稿情報を特定し、特定した投稿情報に含まれる投稿画像を読み出して一覧表示した公開用情報を生成する。
【００６３】
閲覧者端末３００では、制御装置３０４は、情報公開装置４００で生成された公開用情報を取得して、タッチパネル３０１上に表示する。これによって、閲覧者は、指定した閲覧条件に沿った投稿画像を閲覧することができる。
【００６４】
制御装置３０４は、閲覧者によって、一覧表示した投稿画像のうち、いずれかの投稿画像がタッチされて選択されたことを検出した場合には、情報公開装置４００にアクセスして、選択された投稿画像の関連情報を取得し、取得した関連情報をタッチパネル３０１に表示する。これによって、閲覧者は、興味を持った投稿画像にタッチして、投稿画像内に写っている商品の関連情報を確認することができる。
【００６５】
図６は、本実施の形態において、投稿者端末２００で実行される処理の流れを示すフローチャートである。図６示す処理は、投稿者によって情報投稿用アプリケーションの起動が指示されると起動するプログラムとして、制御装置２０４によって実行される。
【００６６】
ステップＳ１０において、制御装置２０４は、投稿者によって投稿画像の撮影開始が指示されたか否かを判断する。ステップＳ１０で肯定判断した場合には、ステップＳ２０へ進む。
【００６７】
ステップＳ２０では、制御装置２０４は、カメラ２０６を使用した撮影機能を起動する。その後、ステップＳ３０へ進む。
【００６８】
ステップＳ３０では、制御装置２０４は、投稿者によって投稿画像の撮影が指示されたか否かを判断する。ステップＳ３０で肯定判断した場合には、ステップＳ４０へ進む。
【００６９】
ステップＳ４０では、制御装置２０４は、カメラ２０６を制御して撮像を行い、投稿画像の画像データを取得する。その後、ステップＳ５０へ進む。
【００７０】
テップＳ５０では、制御装置２０４は、投稿者に投稿画像に関連する関連情報の入力を促すための関連情報入力画面をタッチパネル２０１上に表示して、ステップＳ６０へ進む。
【００７１】
ステップＳ６０では、制御装置２０４は、上述したように、関連情報入力画面上で、関連情報として、ブランド情報、カテゴリ情報、利用シーン情報、購入店舗情報、購入金額情報の入力を受け付け、これらの情報が入力されたか否かを判断する。ステップＳ６０で肯定判断した場合には、ステップＳ７０へ進む。
【００７２】
ステップＳ７０では、制御装置２０４は、撮像により得た投稿画像と、投稿者によって入力された関連情報とを関連付けた投稿情報を情報公開装置４００へ送信する。その後、ステップＳ８０へ進む。
【００７３】
ステップＳ８０では、制御装置２０４は、投稿者によって情報投稿用アプリケーションの終了が指示されたか否かを判断する。ステップＳ８０で否定判断した場合には、ステップＳ１０へ戻る。これに対して、ステップＳ８０で肯定判断した場合には、処理を終了する。
【００７４】
図７は、本実施の形態において、閲覧者端末３００で実行される処理の流れを示すフローチャートである。図７示す処理は、閲覧者によって情報閲覧用アプリケーションの起動が指示されると起動するプログラムとして、制御装置３０４によって実行される。
【００７５】
ステップＳ１１０において、制御装置３０４は、上述した提供希望情報が入力されたか否かを判断する。ステップＳ１１０で否定判断した場合には、後述するステップＳ１３０へ進む。これに対して、ステップＳ１１０で肯定判断した場合には、ステップＳ１２０へ進む。
【００７６】
ステップＳ１２０では、制御装置３０４は、閲覧者によって入力された情報提供を希望するブランド名の情報と、情報提供を希望する店舗名の情報を提供希望情報として情報公開装置４００へ送信する。その後、ステップＳ１３０へ進む。
【００７７】
ステップＳ１３０では、制御装置３０４は、閲覧者によって投稿情報の閲覧が指示されたか否かを判断する。ステップＳ１３０で否定判断した場合には、後述するステップＳ１８０へ進む。これに対して、ステップＳ１３０で肯定判断した場合には、ステップＳ１４０へ進む。
【００７８】
ステップＳ１４０では、制御装置３０４は、上述したように、閲覧者ＩＤと閲覧条件とを関連付けた閲覧要求情報を情報公開装置４００に送信して、投稿情報の閲覧を要求する。その後、ステップＳ１５０へ進む。
【００７９】
ステップＳ１５０では、制御装置３０４は、上述したように、情報公開装置４００で生成された公開用情報を取得して、タッチパネル３０１上に表示する。その後、ステップＳ１６０へ進む。
【００８０】
ステップＳ１６０では、制御装置３０４は、閲覧者によって、一覧表示した投稿画像のうち、いずれかの投稿画像がタッチされて選択されたか否かを判断する。ステップＳ１６０で否定判断した場合には、後述するステップＳ１８０へ進む。これに対して、ステップＳ１６０で肯定判断した場合には、ステップＳ１７０へ進む。
【００８１】
ステップＳ１７０では、制御装置３０４は、情報公開装置４００にアクセスして、選択された投稿画像の関連情報を取得し、取得した関連情報をタッチパネル３０１に表示する。その後、ステップＳ１８０へ進む。
【００８２】
ステップＳ１８０では、制御装置３０４は、閲覧者によって情報閲覧用アプリケーションの終了が指示されたか否かを判断する。ステップＳ１８０で否定判断した場合には、ステップＳ１１０へ戻る。これに対して、ステップＳ１８０で肯定判断した場合には、処理を終了する。
【００８３】
図８は、本実施の形態において、情報公開装置４００で実行される処理の流れを示すフローチャートである。図８に示す処理は、情報公開装置４００の電源がオンされると起動図するプログラムとして、制御装置４０３によって実行される。
【００８４】
ステップＳ２１０において、制御装置４０３は、投稿者端末２００から上述した投稿情報を受信したか否かを判断する。ステップＳ２１０で否定判断した場合には、後述するステップＳ２３０へ進む。これに対して、ステップＳ２１０で肯定判断した場合には、ステップＳ２２０へ進む。
【００８５】
ステップＳ２２０では、制御装置４０３は、投稿者端末２００から受信した投稿情報を記録装置４０４に記録する。その後、ステップＳ２３０へ進む。
【００８６】
ステップＳ２３０では、制御装置４０３は、閲覧者端末３００から上述した提供希望情報を受信したか否かを判断する。ステップＳ２３０で否定判断した場合には、後述するステップＳ２５０へ進む。これに対して、ステップＳ２３０で肯定判断した場合には、ステップＳ２４０へ進む。
【００８７】
ステップＳ２４０では、制御装置４０３は、上述したように、情報送信元の閲覧者端末３００を所持する投稿者を一意に識別するための情報、例えば閲覧者ＩＤを発行し、閲覧者端末３００から受信した情報提供を希望するブランド名の情報と、情報提供を希望する店舗名の情報を、発行した閲覧者ＩＤと関連付けた閲覧者情報を記録装置４０４に記録する。その後、ステップＳ２５０へ進む。
【００８８】
ステップＳ２５０では、制御装置４０３は、閲覧者端末３００からの投稿情報の閲覧要求があったか否かを判断する。ステップＳ２５０で否定判断した場合には、後述するステップＳ２７０へ進む。これに対して、ステップＳ２５０で肯定判断した場合には、ステップＳ２６０へ進む。
【００８９】
ステップＳ２６０では、制御装置４０３は、閲覧者端末３００からの投稿情報の閲覧要求に応じて、閲覧条件に合った投稿画像を一覧表示した公開用情報を生成する。その後、ステップＳ２７０へ進む。
【００９０】
ステップＳ２７０では、制御装置４０３は、情報公開装置４００の電源がオフされたか否かを判断する。ステップＳ２７０で否定判断した場合には、ステップＳ２１０へ戻る。これに対して、ステップＳ２７０で肯定判断した場合には、処理を終了する。
【００９１】
図９は、本実施の形態において、情報提供者端末５００で実行される処理の流れを示すフローチャートである。図９に示す処理は、情報提供者端末５００の電源がオンされると起動図するプログラムとして、制御装置５０３によって実行される。
【００９２】
ステップＳ３１０では、制御装置５０３は、情報提供者によって、上述した提供情報が入力されたか否かを判断する。ステップＳ３１０で否定判断した場合には、後述するステップＳ３３０へ進む。これに対して、ステップＳ３１０で肯定判断した場合には、ステップＳ３２０へ進む。
【００９３】
ステップＳ３２０では、制御装置５０３は、情報提供者によって入力された提供情報を情報公開装置４００へ送信する。その後、ステップＳ３３０へ進む。
【００９４】
ステップＳ３３０では、制御装置５０３は、情報提供者端末５００の電源がオフされたか否かを判断する。ステップＳ３３０で否定判断した場合には、ステップＳ３１０へ戻る。これに対して、ステップＳ３３０で肯定判断した場合には、処理を終了する。
【００９５】
以上説明した本実施の形態によれば、以下のような作用効果を得ることができる。
（１）投稿者端末３００では、制御装置３０４は、投稿者による、投稿者が購入した商品や投稿者が受けたサービスに関する被写体を撮像した投稿画像の入力を受け付け、投稿者による、投稿画像に関連する関連情報の入力を受け付け、投稿画像と関連情報を含む投稿情報を情報公開装置４００へ送信する。情報公開装置４００では、制御装置４０３は、投稿者端末から受信した投稿情報を記録装置に記録し、閲覧者端末３００からの投稿情報の閲覧要求に応じて、投稿画像を一覧表示した公開用情報を生成する。閲覧者端末３００では、制御装置３０４は、情報公開装置４００から公開用情報を取得し、取得した公開用情報をタッチパネル３０１に表示し、公開用情報として一覧表示した投稿画像の中から、閲覧者によるいずれかの投稿画像の選択を受け付け、選択された投稿画像の投稿情報に含まれる関連情報を情報公開装置４００から取得し、取得した関連情報をタッチパネル３０１に表示するようにした。これによって、投稿者は、情報提供システム１００上で自身が購入した商品や自身が受けたサービスを紹介することができる。また、投稿者が投稿した画像を閲覧者に公開することができるため、情報提供者があらかじめ画像データを用意しておかなくても、情報提供システム１００上で商品やサービスに関する画像を公開することができる。さらに、投稿者による投稿数が増えるにつれて、閲覧者に提供できる情報量も増えるため、投稿数の増加とともに、情報提供システム１００の利便性を向上させることができる。また、閲覧者は、投稿者が実際に購入した商品や、提供を受けたサービスに関する被写体を撮像して投稿した投稿画像を閲覧することができるので、閲覧者は、商品を購入するに当たり、他のユーザによる商品の使用例や、他のアイテムと組み合わせ例等を参考にすることができる。
【００９６】
（２）閲覧者端末３００では、制御装置３０４は、閲覧者から、情報提供を希望するブランド名の入力を受け付け、入力された情報提供を希望するブランド名の情報を提供希望情報に含めて情報公開装置４００へ送信するようした。そして、情報公開装置４００では、制御装置４０３は、閲覧者端末３００から受信した提供希望情報を閲覧者ＩＤに関連付けて記録装置４０４へ記録し、閲覧者端末３００からの投稿情報の閲覧要求に応じて、関連情報に基づいて特定されるブランド名が、閲覧者が情報提供を希望するブランド名と一致する投稿画像を記録装置４０４から読み出して一覧表示することにより、公開用情報を生成するようにした。これによって、閲覧者は、情報提供を希望するブランドに絞って、投稿画像を閲覧することができる。
【００９７】
（３）閲覧者端末３００では、制御装置３０４は、閲覧者から、情報提供を希望する店舗名の入力を受け付け、入力された情報提供を希望する店舗名の情報を提供希望情報に含めて情報公開装置４００へ送信するようした。そして、情報公開装置４００では、制御装置４０３は、閲覧者端末３００から受信した提供希望情報を閲覧者ＩＤに関連付けて記録装置４０４へ記録し、閲覧者端末３００からの投稿情報の閲覧要求に応じて、関連情報に基づいて特定される商品の購入店舗が、前閲覧者が情報提供を希望する店舗名と一致する投稿画像を記録装置４０４から読み出して一覧表示することにより、公開用情報を生成するようにした。これによって、閲覧者は、情報提供を希望する店舗に絞って、投稿画像を閲覧することができる。
【００９８】
（４）情報公開装置４００では、制御装置４０３は、特定のカテゴリの商品に絞り込んで表示するように閲覧条件が指定されている場合には、記録装置４０４に記録されている投稿情報の中から、閲覧条件で指定された商品のカテゴリに一致するカテゴリ情報が関連情報に含まれる投稿情報を特定し、特定した投稿情報に含まれる投稿画像を読み出して一覧表示した公開用情報を生成するようにした。これによって、閲覧者は、特定のカテゴリに絞って、投稿画像を閲覧することができる。
【００９９】
（５）情報公開装置４００では、制御装置４０３は、特定の利用シーンに絞り込んで表示するように閲覧条件が指定されている場合には、記録装置４０４に記録されている投稿情報の中から、閲覧条件で指定された商品の利用シーンに一致する利用シーン情報が関連情報に含まれる投稿情報を特定し、特定した投稿情報に含まれる投稿画像を読み出して一覧表示した公開用情報を生成するようにした。これによって、閲覧者は、特定の利用シーンに絞って、投稿画像を閲覧することができる。
【０１００】
（６）情報提供者端末５００では、制御装置５０３は、情報提供者から、情報提供者が提供する商品またはサービスのブランド名、情報提供者が経営する店舗名を含んだ提供情報の入力を受け付け、入力された提供情報を情報公開装置４００へ送信するようにした。そして、情報公開装置４００では、情報提供者端末５００から受信した提供情報を記録装置４０４に記録するようにした。これによって、提供情報を希望する情報提供者の情報を情報公開装置４００上で一元管理することができる。
【０１０１】
―変形例―
なお、上述した実施の形態の情報提供システム１００は、以下のように変形することもできる。
（１）上述した実施の形態では、投稿者端末２００と閲覧者端末３００は、別の端末である例について説明した。しかしながら、一人のユーザが投稿者にも閲覧者にもなり得る場合には、１台の端末で情報の投稿と閲覧を行うことができるようにすることが好ましく、この場合は、１台の端末が投稿者端末２００と閲覧者端末３００を兼ねるようにしてもよい。なお、１台の端末が投稿者端末２００と閲覧者端末３００を兼ねる場合、情報投稿用アプリケーションと情報閲覧用アプリケーションを別のアプリケーションとして、ユーザが端末上で切り替えて利用できるようにしてもよいし、情報投稿用アプリケーションと情報閲覧用アプリケーションを１つのアプリケーションに統合するようにしてもよい。
【０１０２】
（２）上述した実施の形態では、情報提供者端末５００では、制御装置５０３は、情報提供者から、情報提供者が提供する商品またはサービスのブランド名、情報提供者が経営する店舗名を含んだ店舗の情報を提供情報の入力を受け付け、入力された提供情報を情報公開装置４００へ送信するようにし、情報公開装置４００では、提供情報を記録装置４０４に記録する例について説明した。情報提供システム１００では、情報公開装置４００に記録された提供情報を利用して以下のような処理を行うようにしてもよい。
【０１０３】
上述した実施の形態では、閲覧者は、一覧表示された投稿画像の中からいずれかの投稿画像にタッチすることにより、関連情報を閲覧できる例について説明した。この場合、閲覧者は、表示された関連情報に含まれるブランド名を選択することにより、そのブランドの商品やサービスを扱う店舗を確認できるようにしてもよい。具体的には、閲覧者端末３００では、制御装置３０４は、表示した関連情報の中からブランド情報がタッチされた場合には、情報公開装置４００にアクセスして、記録装置４０４に記録されている提供情報の中から、提供情報に含まれるブランド情報が、閲覧者によってタッチされたブランド情報と一致する提供情報を取得し、取得し提供情報に含まれる店舗名をタッチパネル３０１に一覧表示すればよい。これによって、閲覧者は、投稿画像を閲覧して興味のある商品やサービスを見つけた場合に、その商品やサービスのブランドを扱う店舗を容易に探すことができる。また、閲覧者端末３００が、ＧＰＳ衛星と通信を行って、ＧＰＳ衛星から受信した測位情報に基づいて現在位置を特定することができる場合には、閲覧者端末３００から所定距離内にある店舗のみを抽出して一覧表示するようにしてもよい。この場合、店舗の抽出条件とする現在位置からの距離は、あらかじめ設定されていてもよいし、閲覧者が５００ｍ以内、１ｋｍ以内のように任意に設定できるようにしてもよい。
【０１０４】
（３）上述した実施の形態では、閲覧者は、一覧表示された投稿画像の中からいずれかの投稿画像にタッチすることにより、関連情報を閲覧できる例について説明した。この場合、制御装置３０４は、閲覧者によって関連情報に含まれる店舗名がタッチされたときには、その店舗で扱う商品を購入することができる購入サイトをタッチパネル３０１に表示するようにしてもよい。これによって、閲覧者は、投稿画像を閲覧して興味のある商品やサービスを扱う店舗を見つけた場合に、その店舗が運営するショッピングサイトにアクセスして、ショッピングを行うことができる。また、この場合は、制御装置３０４は、購入サイト上で閲覧者による商品の注文を受け付け、注文を受け付けた商品の内容を示す注文情報を情報公開装置４００へ送信するようにしてもよい、情報公開装置４００では、制御装置４０３は、閲覧者端末３００から注文情報を受信した場合には、受信した注文情報を記録装置４０４に記録するとともに、注文情報に基づいて商品が注文された店舗を特定し、特定した店舗の情報提供者端末５００へ、閲覧者から商品の注文があったことを通知するようにしてもよい。これによって、閲覧者は、情報提供システム１００を利用してショッピングを楽しむことができ、情報提供者は、情報提供システム１００を利用してショッピングサイトへの集客を行うことができる。
【０１０５】
（４）上述した実施の形態では、情報提供システム１００をファッション情報を提供するためのシステムとして用いる場合を想定して、投稿者は、自身が購入した洋服やアクセサリー等のファッションアイテムを撮影した投稿画像を投稿して公開する場合について説明した。しかしながら、情報提供システム１００を通して提供する情報は、ファッション情報に限定されず、上述した実施の形態で説明した処理によって提供可能な他の商品やサービスの情報が対象となる。
【０１０６】
（５）上述した実施の形態では、関連情報には、被写体としたファッションアイテムのブランド名を示すブランド情報、ファッションアイテムのカテゴリを示すカテゴリ情報、ファッションアイテムの利用シーンを示す利用シーン情報、ファッションアイテムの購入店舗を示す購入店舗情報、ファッションアイテムの購入金額を示す購入金額情報を関連情報を含む例について説明した。しかしながら、関連情報には、これらの情報の少なくとも１つを含めばよい。また、情報提供システム１００で提供する情報がファッション情報以外の情報である場合には、その情報に応じた関連情報を設定すればよい。
【０１０７】
（６）上述した実施の形態では、投稿者端末２００と閲覧者端末３００は、通話機能を備えたスマートフォンを想定しているため、マイクとスピーカーとを備えるが、投稿者端末２００や閲覧者端末３００として通話機能を備えない携帯情報端末を用いる場合には、マイクとスピーカーは搭載されない。
【０１０８】
（７）上述した実施の形態では、情報公開装置４００は、操作者が操作するための操作部材４０１を備えるが、通信回線を介してリモート操作を行う場合には、必ずしも操作部材４０１は備える必要がない。
【０１０９】
（８）上述した実施の形態では、関連情報には、被写体としたファッションアイテムのブランド名を示すブランド情報と、ファッションアイテムの購入店舗を示す購入店舗情報とが含まれている例について説明した。閲覧者端末３００上や、上述した関連情報入力画面上で関連情報を表示するに当たっては、ブランド情報と購入店舗情報を別項目として表示してもよいし、ブランド名の後に店舗名を続けて表記して表示するようにしてもよい。一例を挙げると、１つのブランドが多店舗展開を行っているケース等、ブランド名の後に店舗名を続けて表記することで、需要者に認識される場合もある。例えばＡＡＡというブランドでは、ＡＡＡ新宿店、ＡＡＡ渋谷店と表記されることによって、ＡＡＡブランドの各店舗が認識される場合が考えられる。このような場合には、関連情報を表示する際に、ブランド情報と購入店舗情報を続けて表記するようにすればよい。
【０１１０】
（９）上述した実施の形態では、閲覧者が投稿画像を閲覧した際に、好みの画像に対して投票をできるようにし、その投票結果に基づいて、投稿画像の人気を判断する例について説明した。この機能に加えて、閲覧者が投票した投稿画像を、その閲覧者のお気に入り画像として管理する機能を備えるようにしてもよい。具体的には、制御装置４０３は、閲覧者から投稿画像に対する投票を受け付けた場合には、その投稿画像と、投票した閲覧者の閲覧者ＩＤとを関連付けて記録することにより、閲覧者のお気に入り画像を管理するようにすればよい。この場合、閲覧者は、閲覧者端末３００から投稿情報の閲覧を指示するに当たり、上述した閲覧条件として、お気に入りの投稿画像を閲覧するように指定することができる。制御装置３０４は、情報公開装置４００に閲覧者ＩＤと閲覧条件とを関連付けた閲覧要求情報を送信して、投稿情報の閲覧を要求し、情報公開装置４００では、制御装置４０３は、閲覧者端末３００からの投稿情報の閲覧要求に応じて、閲覧者ＩＤに関連付けられているお気に入りの投稿画像を一覧表示した公開用情報を生成する。なお、閲覧者のお気に入りの投稿画像の特定は、投票された投稿画像に限定されず、閲覧者からお気に入りへの追加指示を受け付けることにより特定するようにしてもよい。
【０１１１】
また、投稿画像の人気投票やお気に入りへの投稿画像の追加は、既存のＳＮＳ（Ｓｏｃｉａｌ  Ｎｅｔｗｏｒｋｉｎｇ  Ｓｅｒｖｉｃｅ）と連携して行うようにしてもよい。例えば、既存のＳＮＳにユーザ登録済みのユーザは、登録済みのユーザアカウントを使用して、各ＳＮＳサービスにログインする。上述した実施の形態における情報提供システム１００と連携した各ＳＮＳでは、ＳＮＳの利用画面上で上述した投稿画像を閲覧することができるものとする。ＳＮＳを介して投稿画像を閲覧したユーザは、例えば「いいね」ボタンを押す等のＳＮＳに実装されている投票機能を利用して、好みの投稿画像に投票をすることができる。制御装置４０３は、連携先のＳＮＳから投稿画像に対する投票が行われたことを示す情報を受信すると、その投稿画像に対する投票数を加算してデータを更新する。これによって、連携先のＳＮＳ上での投票結果を、各投稿画像における閲覧者による人気に反映させることができる。また、制御装置４０３は、連携先のＳＮＳから投稿画像に対する投票が行われたことを示す情報を受信すると、その投稿画像を閲覧者のお気に入り画像として登録する。これによって、連携先のＳＮＳ上での投票結果を、閲覧者のお気に入り画像に反映させることができる。
【０１１２】
さらに、閲覧者のお気に入り画像については、そのお気に入り画像に映っている商品を取り扱う店舗を地図上に表示して、閲覧者がお気に入り画像に映っている商品を購入可能な店舗を把握できるようにしてもよい。この場合、地図上の店舗位置には、お気に入り画像をアイコン表示してもよいし、その店舗が扱っている商品の画像をアイコン表示してもよい。
【０１１３】
また、制御装置４０３は、閲覧者がお気に入り画像とした画像の投稿者が新たに投稿画像を投稿した場合には、閲覧者に対して新たな投稿画像が投稿されたことを通知するようにしてもよい。この場合、制御装置４０３は、あらかじめ登録されている閲覧者のメールアドレスに宛てて通知メールを送信することにより通知してもよいし、通知情報を閲覧者端末３００へ送信し、閲覧者端末３００の制御装置３０４が通知があったことをタッチパネル３０１上にポップアップ表示することにより通知してもよい。
【０１１４】
（１０）上述した実施の形態における情報提供システム１００では、閲覧者が閲覧者端末３００上で探したい商品の画像を指定して情報公開装置４００へアップロードすると、情報公開装置４００上で、アップロードされた画像に映っている商品に類似する商品の画像を検索して、閲覧者端末３００へ送信する機能をさらに備えるようにしてもよい。これより、閲覧者は、気になった商品に類似する商品を容易に検索することができる。
【０１１５】
具体的には、以下のように処理を行えばよい。まず、情報提供者は、あらかじめ情報提供者端末５００上で、自社が扱う商品の画像を情報公開装置４００へアップロードして、記録装置４０４に記録しておく。ここで情報提供者によってアップロードされた画像が、検索対象の商品画像となる。
【０１１６】
閲覧者は、閲覧者端末３００上で探したい商品が映っている画像を指定する。このために、閲覧者は、閲覧中の投稿画像内で、探したい商品が映っている範囲を指定することにより、探したい商品が映っている画像を指定することができる。また、探したい商品が、テレビで紹介された商品や雑誌に掲載されている商品など、投稿画像内に映っている商品でない場合は、その商品の画像を撮影して閲覧者端末３００に取り込むことにより探したい商品が映っている画像を指定する。制御装置３０４は、閲覧者によって指定された画像を情報公開装置４００へ送信して、類似する商品が映っている投稿画像の検索を要求する。
【０１１７】
情報公開装置４００では、制御装置４０３は、類似する商品が映っている投稿画像の検索要求を受け付けると、閲覧者端末３００から受信した画像と、記録装置４０４に記録されている商品画像とをマッチングさせて、閲覧者端末３００から受信した画像に含まれる商品と類似する商品が映っている商品画像を抽出する。このときの抽出処理は、公知の被写体マッチング処理を用いればよく、例えば、マッチングの結果、商品の色や柄の類似度が高い商品画像を抽出すればよい。また、閲覧者は、類似する商品が映っている投稿画像を検索するに当たり、上述したカテゴリを指定するようにして、同一カテゴリの商品の商品画像をマッチング処理の対象とするようにしてもよい。
【０１１８】
制御装置４０３は、マッチング処理によって抽出した商品画像の一覧を閲覧者端末３００へする。閲覧者端末３００では、制御装置３０４は、情報公開装置４００から受信した商品画像の一覧をタッチパネル３０１に表示する。これによって、閲覧者は、探していた商品の画像を取得することができる。閲覧者が商品画像の一覧の中からいずれかの画像にタッチすると、その画像をアップロードした情報提供者の情報や、その情報提供者が経営する店舗の情報をタッチパネル３０１上に表示するようにすれば、閲覧者は、その商品の情報や、販売している店舗を把握することができる。また、閲覧者が商品画像の一覧の中からいずれかの画像にタッチすると、その画像内に映っている商品を販売しているウェブサイトをタッチパネル３０１上に表示するようにすれば、閲覧者は、その商品をウェブサイト上で購入することができる。
【０１１９】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【０１２０】
１００  情報提供システム
２００  投稿者端末
２０１  タッチパネル
２０２  通信モジュール
２０３  マイク
２０４  制御装置
２０５  スピーカー
２０６  カメラ
３００  閲覧者端末
３０１  タッチパネル
３０２  通信モジュール
３０３  マイク
３０４  制御装置
３０５  スピーカー
４００  情報公開装置
４０１  操作部材
４０２  接続ＩＦ
４０３  制御装置
４０４  記録装置
５００  情報提供者端末
５０１  操作部材
５０２  接続ＩＦ
５０３  制御装置
５０４  記録装置
【図１】
0005926326.tif 000002
【図２】
0005926326.tif 000003
【図３】
0005926326.tif 000004
【図４】
0005926326.tif 000005
【図５】
0005926326.tif 000006
【図６】
0005926326.tif 000007
【図７】
0005926326.tif 000008
【図８】
0005926326.tif 000009
【図９】
0005926326.tif 000010